(57)【要約】【課題】  成形時において樹脂製パネルの表壁と裏壁の内壁面と予備成形体間の空気溜まりをなくして樹脂製パネルの表壁と裏壁の内壁面に対する予備成形体の溶着一体化を完全ならしめて、剛性等の強度性や断熱性等に優れた予備成形体内装樹脂製パネルおよびその予備成形体内装樹脂製パネルにより構成された組立式コンテナを提供する。【解決手段】  予備成形体内装樹脂製パネル１は、表壁２と裏壁３を有する中空二重壁構造の樹脂製パネル４でなる。樹脂製パネル４にはその全周に溶着部７を有する。中空部５内には中空部５内空間と略同一形状に予め成形された熱可塑性樹脂からなる予備成形体６を内装する。予備成形体６は樹脂製パネル４の表壁２と裏壁３の内壁面に溶着されている。中空部５内空間と外気を連通する少なくとも一つの開孔が形成される。開孔は成形後に封止される。【選択図】        図１
2005212408.tif 000002
【特許請求の範囲】
【請求項１】
表壁と裏壁を有する中空二重壁構造の樹脂製パネルであって、
樹脂製パネルにはその全周に溶着部を有し、
中空部内には中空部内空間と略同一形状に予め成形された熱可塑性樹脂からなる予備成形体が内装されるとともに、
予備成形体が樹脂製パネルの表壁と裏壁の内壁面に溶着されており、
中空部内空間と外気を連通する少なくとも一つの開孔が形成されている
ことを特徴とする予備成形体内装樹脂製パネル。
【請求項２】
中空部内空間と外気を連通する少なくとも一つの開孔は、成形後に封止されることを特徴とする請求項１記載の予備成形体内装樹脂製パネル。
【請求項３】
予備成形体は中空部内空間に隙間なく内装されるよう形成された発泡体であることを特徴とする請求項１、２または３記載の予備成形体内装樹脂製パネル。
【請求項４】
中空部内空間と外気を連通する少なくとも一つの開孔は、樹脂製パネルの表壁または裏壁の一方に形成されていることを特徴とする請求項１または２記載の予備成形体内装樹脂製パネル。
【請求項５】
請求項１ないし４記載の予備成形体内装樹脂製パネルにより構成されていることを特徴とする組立式コンテナ。
【請求項６】
底壁の各辺に起倒自在に連結された対向する一対の側壁と対向する他の一対の側壁を有し、各側壁を起立させて上面が開放した箱形の容器であって、一対の側壁を底壁の上面に対向して折り畳み、かつ他方の一対の側壁を折り畳んだ一対の側壁の上に重ねて折り畳むように構成され、底壁および全ての側壁が請求項１ないし４記載の予備成形体内装樹脂製パネルにより構成されていることを特徴とする組立式コンテナ。
【発明の詳細な説明】
【技術分野】
【０００１】
本発明は、表壁と裏壁を有する中空二重壁構造の樹脂製パネルであって、中空部内に中空部内空間と略同一形状に予め成形された熱可塑性樹脂からなる予備成形体が内装された予備成形体内装樹脂製パネルおよび予備成形体内装樹脂製パネルにより構成された組立式コンテナに関するものである。
【背景技術】
【０００２】
シート状パリソンを金型のキャビティ面に真空吸引し、金型の型締め後に加圧流体をパリソン内に導入して中空成形品を成形するブロー方法は、特開２０００−２１８６８４公報および特開２０００−２１８６８２公報にそれぞれ記載されており、特開２０００−２１８６８２公報には、予め成形した発泡体を一対のシート状パリソン間に配置して発泡体を内装した中空成形品を成形するブロー方法が詳しく紹介されている。
【０００３】
また、中空二重壁成形品であってその中空部に空気を含有した断熱材を密状態に封じ込めたものは特開平１１−４８３２０号公報に記載されており、中空二重壁構造の収納ケースであって中空部に発泡体を充填し、収納リセスの開口側端面に収納リセスの緩衝変形に伴って内圧が上昇しないようにするためのエア抜き孔を設けたものは、特開２００３−１６４３１５公報に記載されている。
【特許文献１】特開２０００−２１８６８４公報
【特許文献２】特開２０００−２１８６８２公報
【特許文献３】特開平１１−４８３２０号公報
【特許文献４】特開２００３−１６４３１５公報
【発明の開示】
【発明が解決しようとする課題】
【０００４】
前掲の特開２０００−２１８６８４公報、特開２０００−２１８６８２公報、特開平１１−４８３２０号公報および特開２００３−１６４３１５公報に記載されている中空二重壁成形品にはその中空部に発泡体が密状態に封じ込められていたり充填されてはいるが、発泡体と中空二重壁成形品の壁内面が接しているだけであるところから、剛性等の強度性や断熱性等に劣る点で問題があるとともに、開孔を有しないものにあっては成形時および成形後の内部圧力に起因した膨張変形によって予備成形体と樹脂製パネルの表壁および裏壁の内壁面の溶着剥がれが生じる問題があった。
【０００５】
そこで、本発明は、中空部内に内装される予備成形体を樹脂製パネルの表壁と裏壁の内壁面に溶着するとともに、中空部内空間と外気を連通する少なくとも一つの開孔を設けたことにより、成形時において樹脂製パネルの表壁と裏壁の内壁面と予備成形体間の空気溜まりをなくして樹脂製パネルの表壁と裏壁の内壁面に対する予備成形体の溶着一体化を完全ならしめて、剛性等の強度性や断熱性等に優れた予備成形体内装樹脂製パネルおよびその予備成形体内装樹脂製パネルにより構成された組立式コンテナを提供することを目的とするものである。
【課題を解決するための手段】
【０００６】
上記目的を達成するための本発明の請求項１に係る予備成形体内装樹脂製パネルは、表壁と裏壁を有する中空二重壁構造の樹脂製パネルであって、樹脂製パネルにはその全周に溶着部を有し、中空部内には中空部内空間と略同一形状に予め成形された熱可塑性樹脂からなる予備成形体が内装されるとともに、予備成形体が樹脂製パネルの表壁と裏壁の内壁面に溶着されており、中空部内空間と外気を連通する少なくとも一つの開孔が形成されていることを特徴とするものである。
【０００７】
本発明の請求項２に係る予備成形体内装樹脂製パネルは、請求項１記載の予備成形体内装樹脂製パネルにおいて、中空部内空間と外気を連通する少なくとも一つの開孔は、成形後に封止されることを特徴とするものである。
【０００８】
本発明の請求項３に係る予備成形体内装樹脂製パネルは、請求項１または２記載の予備成形体内装樹脂製パネルにおいて、予備成形体は中空部内空間に隙間なく内装されるよう形成された発泡体であることを特徴とするものである。
【０００９】
本発明の請求項４に係る予備成形体内装樹脂製パネルは、請求項１または２記載の予備成形体内装樹脂製パネルにおいて、中空部内空間と外気を連通する少なくとも一つの開孔は、開孔が溶着部近傍に形成されていることを特徴とするものである。
【００１０】
また、本発明の請求項５に係る組立式コンテナは、請求項１ないし４記載の予備成形体内装樹脂製パネルにより構成されていることを特徴とするものである。
【００１１】
さらに本発明の請求項６に係る組立式コンテナは、底壁の各辺に起倒自在に連結された対向する一対の側壁と対向する他の一対の側壁を有し、各側壁を起立させて上面が開放した箱形の容器であって、一対の側壁を底壁の上面に対向して折り畳み、かつ他方の一対の側壁を折り畳んだ一対の側壁の上に重ねて折り畳むように構成され、底壁および全ての側壁が請求項１ないし４記載の予備成形体内装樹脂製パネルにより構成されていることを特徴とするものである。
【発明の効果】
【００１２】
本発明によれば、中空部内に内装される予備成形体を樹脂製パネルの表壁と裏壁の内壁面に溶着するとともに、中空部内空間と外気を連通する少なくとも一つの開孔を設けたことにより、成形時において樹脂製パネルの表壁と裏壁の内壁面と予備成形体間の空気溜まりおよび膨張変形をなくして樹脂製パネルの表壁と裏壁の内壁面に対する予備成形体の溶着一体化を完全ならしめて、剛性等の強度性や断熱性等に優れた予備成形体内装樹脂製パネルおよびその予備成形体内装樹脂製パネルにより構成された組立式コンテナを得ることができる。
【発明を実施するための最良の形態】
【００１３】
図１は本発明の一実施の形態に係る予備成形体内装樹脂製パネルを一部破断して示す斜視図である。
【００１４】
図１において、１は予備成形体内装樹脂製パネルであって、この予備成形体内装樹脂製パネル１は、表壁２と裏壁３を有する中空二重壁構造の樹脂製パネル４の中空部５内にはその中空部５内空間と略同一形状に予め成形された熱可塑性樹脂からなる予備成形体６が内装されており、この予備成形体６は発泡樹脂体である。樹脂製パネル４はその全周にわたって溶着部７を有しており、この溶着部７は成形時のパーティングライン上に形成されるものである。中空部５に内装された予備成形体６は樹脂製パネル４の表壁２と裏壁３の内壁面に溶着されている。樹脂製パネル４には成形時に中空部５内空間と外気を連通する少なくとも一つの開孔（裏壁に形成されるため図示せず）が溶着部６の近傍に形成される。が、成形後にその開孔は溶着等により痕跡を残さないように封止されるので、図１にはその開孔が現れていない。また、樹脂製パネル４および予備成形体６は、ポリエチレンまたはポリプロピレン等のポリオレフィン系樹脂より構成され、樹脂製パネル４と予備成形体６は同材質の樹脂からなる。さらに、予備成形体６は発泡体であることが好適であるが、ハニカム状成形体など適宜樹脂製パネルの中空部内空間と略同一形状に熱可塑性樹脂により予め成形された成形体が適用可能である。
【００１５】
図２には前記の予備成形体内装樹脂製パネル１により構成された組立式コンテナ８が例示されている。図２に示すように、組立式コンテナ８は、底壁９に対して四面の側壁が起倒自在に軸止めにより取り付けられており、互いに隣接する側壁１０はラッチ１１によって係脱自在に連結されている。さらに組立式コンテナ８は、一対の側壁１０ａ，１０ａを底壁９の裏壁３に折り畳み、かつ他方の一対の側壁１０ｂ，１０ｂ、を折り畳んだ一対の側壁１０ａ，１０ａの上に重ねて折り畳むように構成される。底壁および側壁の裏壁３には開孔２３を有する。ただし、開孔２３は成形後に溶着等により封止されることが好ましい。
【００１６】
本発明に係る組立式コンテナは上記説明した構成に限らず、底壁と側壁を互いに薄肉状のヒンジを介して一体に連結した構成とすることも可能である。薄肉状のヒンジにより構成するものにあっては底壁および側壁を重ねて折り畳むことなく外方に展開状として外開きとすることができる。
【００１７】
図３ないし図９には図１に示す予備成形体内装樹脂製パネルの成形態様が工程順に示しており、各図はいずれも断面図である。
【００１８】
次に、図１に示すような樹脂中空成形品１のブロー成形態様について説明する。図３に示すように、樹脂押出ヘッド１２から押し出される一対のシート状パリソン１３，１３は、分割金型１４，１４間に配置される。分割金型１４，１４は真空成形する凹状のキャビティ１５，１５を有しており、１６はその真空吸引間隙を形成する接触面であって真空チャンバー１７に連通している。１８は中枠であって、この中枠１８は分割金型１４，１４のキャビティ１５，１５に対向する加熱面１９，１９を有する胴部２０とキャビティ１５，１５の周囲に対して突出可能な移動枠２１，２１を備えている。
【００１９】
図３に示すように、分割金型１４，１４を開いてその中間位置に中枠１８を配置しておき、中枠１８とキャビティ１５，１５の間にそれぞれシート状パリソン１３，１３を配置する。次いで図４に示すように、移動枠２１，２１を分割金型１４，１４の方向に移動してキャビティ１５，１５の周囲との間にシート状パリソン１３，１３を挟持することによってキャビティ１５，１５とシート状パリソン１３，１３との間に閉鎖空間を形成する。次いで図５に示すように、この状態において上記閉鎖空間を接触面１６から真空吸引することによってシート状パリソン１３，１３キャビティ１５，１５に吸着させるとともに、図６に示すように分割金型１４，１４を閉じて中枠１８に設けられた吹込手段を介して加圧流体を導入してシート状パリソン１３，１３をキャビティ１５，１５に密着させる。次いで図７に示すように、分割金型１４，１４を開き、中枠１８を離脱させ、図８に示すように、分割金型１４，１４の一方のキャビティ１５に沿っているシート状パリソン１３の内面に、発泡体である予備成形体６を接合配置するとともに、この状態で図９に示すように、分割金型１４，１４を閉じるとともに一方のシート状パリソン１３に開孔を形成する刺し針２２をキャビティ１４面から突出させて予備成形体６との間の空間を外気に通じさせて、一対のシート状パリソン１２，１２の内面に予備成形体６を完全に溶着一体化させ、図１に示す予備成形体内装樹脂製パネル１を得るものである。
【００２０】
分割金型１４，１４を閉じて中枠１８に設けられた吹込手段を介して加圧流体を導入する際、中枠１８に設けられた加熱面１９，１９によってシート状パリソン１３，１３の内面は溶融状態に保たれ、発泡体である予備成形体６を配置することで予備成形体が樹脂製パネルの表壁と裏壁の内壁面に溶着される。
【図面の簡単な説明】
【００２１】
【図１】本発明の一実施の形態に係る予備成形体内装樹脂製パネルを一部破断して示す斜視図である。
【図２】本発明に係る予備成形体内装樹脂製パネルにより構成された組立式コンテナの斜視図である。
【図３】本発明に係る予備成形体内装樹脂製パネルの成形態様を示し、分割金型を開き、中枠を配置し、一対のシート状パリソンを配置した工程を示す断面図である。
【図４】図３の状態から分割金型を中枠の移動枠に当接するまで閉じた状態を示す断面図である。
【図５】図４の状態から一対のシート状パリソンをキャビティに真空吸着させた状態を示す断面図である。
【図６】図５の状態から移動枠を押し下げながら分割金型を中枠に当接するまでさらに閉じ、中枠の吹込手段を介して加圧流体を導入してシート状パリソンをキャビティに密着させた状態を示す断面図である。
【図７】図６の状態から分割金型を開き、中枠を離脱させた状態を示す断面図である。
【図８】図７の状態から一方のキャビティに沿っているシート状パリソンの内面に予備成形体を接合配置した状態を示す断面図である。
【図９】図８の状態から分割金型を閉じて一対のシート状パリソンの内面に予備成形体を完全に溶着一体化させ状態を示す断面図である。
【符号の説明】
【００２２】
１  予備成形体内装樹脂製パネル
２  表壁
３  裏壁
４  樹脂製パネル
５  中空部
６  予備成形体
７  溶着部
８  組立式コンテナ
９  底壁
１０  側壁
１０ａ，１０ｂ  一対の側壁
１０ｃ，１０ｄ  他方の一対の側壁
１１  ラッチ
１２  樹脂押出ヘッド
１３，１３  シート状パリソン
１４，１４  分割金型
１５，１５  キャビティ
１６  接触面
１７  真空チャンバー
１８  中枠
１９，１９  加熱面
２０  胴部
２１  移動枠
２２  刺し針
２３  開孔
【図１】
2005212408.tif 000003
【図２】
2005212408.tif 000004
【図３】
2005212408.tif 000005
【図４】
2005212408.tif 000006
【図５】
2005212408.tif 000007
【図６】
2005212408.tif 000008
【図７】
2005212408.tif 000009
【図８】
2005212408.tif 000010
【図９】
2005212408.tif 000011